(57)【要約】  スケーラブルな新無線（ＮＲ）セルシステムにおいて用いられる方法は、ｇＮＢが、ＮＲセルにおける１つの物理送受信ポイント（ＴＲＰ）を、第１コンポーネントキャリア（ＣＣ）レイヤ上で動作するｇＮＢの高電力分散ユニット（ＤＵ）として構成し、ＮＲセルにおける残りの複数の物理ＴＲＰを、１つ又は複数の第２ＣＣレイヤ上で動作するｇＮＢの低電力ＤＵとして構成し、第１ＣＣレイヤおよび第２ＣＣレイヤの各々におけるキャリア帯域幅を、複数の帯域幅部分（ＢＷＰ）を有するように構成し、高レイヤシグナリングを介して、サービスを受けているまたはサービスを要求している１つ又は複数のアドバンスドＵＥを、アクティブＢＷＰスイッチング動作のために複数のインデックス付きＢＷＰのセットおよび構成可能な初期ＢＷＰを用いて構成し、高レイヤシグナリングを介して、サービスを受けているまたはサービスを要求している１つ又は複数のアドバンスドＵＥを、アクティブＢＷＰアグリゲーション動作のために複数のインデックス付きＢＷＰの２つ以上のセットを用いて構成する。【選択図】図３
2021512539.tif 000002
【特許請求の範囲】
【請求項１】
スケーラブルな新無線（ＮＲ）セルシステムにおいて用いられる方法であって、
前記ＮＲセルシステムは、単一のｇＮＢと関連する複数の物理送受信ポイント（ＴＲＰ）とを有し、前記複数のＴＲＰは、複数のコンポーネントキャリア（ＣＣ）の複数のレイヤにクラウド無線インタフェースカバレッジを有するＮＲセルを定義し、
前記ＮＲセルシステムは、帯域幅部分（ＢＷＰ）動作について構成された、複数のカバレッジ内のアドバンスドＵＥをさらに有し、
前記方法は、
前記ｇＮＢが、前記ＮＲセルにおける１つの物理ＴＲＰを、第１ＣＣレイヤ上で動作する前記ｇＮＢの高電力分散ユニット（ＤＵ）として構成すること、
前記ｇＮＢが、前記ＮＲセルにおける残りの複数の物理ＴＲＰを、１つ又は複数の第２ＣＣレイヤ上で動作する前記ｇＮＢの低電力ＤＵとして構成すること、
前記ｇＮＢが、前記第１ＣＣレイヤおよび前記第２ＣＣレイヤのそれぞれにおけるキャリア帯域幅を、複数のＢＷＰを有するように構成すること、
前記ｇＮＢが高レイヤシグナリングを介して、サービスを受けているまたはサービスを要求している１つ又は複数のアドバンスドＵＥを、アクティブＢＷＰスイッチング動作のために複数のインデックス付きＢＷＰのセットおよび構成可能な初期ＢＷＰを用いて構成すること、および、
前記ｇＮＢが高レイヤシグナリングを介して、サービスを受けているまたはサービスを要求している１つ又は複数のアドバンスドＵＥを、アクティブＢＷＰアグリゲーション動作のために複数のインデックス付きＢＷＰの２つ以上のセットを用いて構成すること、
を含む、方法。
【請求項２】
請求項１記載の方法であって、
構成されたいずれかのＣＣレイヤのキャリアＢＷは、サービスを受けているまたはサービスを要求している１つ又は複数のアドバンスドＵＥの最大チャネルＢＷよりも数倍広い、
方法。
【請求項３】
請求項２記載の方法であって、
構成されたすべてのＣＣレイヤのキャリアＢＷは、オーバラップしていないインデックス付きのキャリアＢＷＰおよび／またはオーバラップしているインデックス付きキャリアＢＷＰを有するように構成される、
方法。
【請求項４】
請求項３記載の方法であって、
構成された１つまたは複数のキャリアＢＷＰの帯域幅は、サービスを受けているまたはサービスを要求している１つ又は複数のアドバンスドＵＥの最大チャネルＢＷ以下である、
方法。
【請求項５】
請求項１記載の方法であって、
アドバンスドＵＥでのアクティブＢＷＰスイッチングまたはアクティブＢＷＰアグリゲーションのために構成された複数のインデックス付きＢＷＰのセットは、前記定義されたＮＲセル内の１つのＣＣレイヤからのまたは複数のＣＣレイヤからの複数のインデックス付きキャリアＢＷＰを有する、
方法。
【請求項６】
請求項５記載の方法であって、
アドバンスドＵＥでのアクティブＢＷＰスイッチングまたはアクティブＢＷＰアグリゲーションのために構成されたセットにおける複数のＢＷＰは、キャリアＢＷＰインデックスおよびＣＣインデックスの組み合わせに基づいてインデックス付けされる、
方法。
【請求項７】
請求項１記載の方法であって、
インデックス付きＢＷＰの同じセットは、同じＮＲセルにおける２つ以上のＵＥで用いられるために構成される、
方法。
【請求項８】
請求項７記載の方法であって、
インデックス付きＢＷＰの同じ構成されたセットを供給するＮＲセル内の複数のアドバンスドＵＥは、サービシングｇＮＢによって、同じまたは異なる構成可能な初期ＢＷＰで構成される、
方法。
【請求項９】
請求項８記載の方法であって、
ＤＬまたはＵＬの信号送受信のためにアクティブ化されたＢＷＰを有するＵＥは、ＵＥのモビリティ、ＵＥの要求サービス、および／または、ＵＥでのまたはＵＥのまわりのトラフィック負荷に応じて適応的に初期ＢＷＰを変えるように、サービシングｇＮＢによって指示される、
方法。
【請求項１０】
請求項９記載の方法であって、
ＤＣＩまたはＭＡＣ ＣＥメッセージは、サービスを受けているＵＥに初期ＢＷＰを変えるまたは再構成することを指示するために、サービシングｇＮＢによって用いられる、
方法。
【請求項１１】
請求項１記載の方法であって、
インデックス付きＢＷＰのセットは、ＵＥの最大チャネルＢＷ内に存在しない２つ以上の構成されたＢＷＰを有する前記ＵＥで用いられるために構成され、
前記ｇＮＢは、周期的なメジャメントギャップを有するように前記ＵＥをさらに構成する、
方法。
【請求項１２】
請求項１１記載の方法であって、
前記構成されたメジャメントギャップにおいて、ＵＥは、前記ＵＥの最大チャネルＢＷの外にある前記構成された複数のＢＷＰにてＲＲＭ／ＣＳＩメジャメントを実行し、前記ＵＥの最大チャネルＢＷは、現在アクティブ化されているＢＷＰまたは構成された初期ＢＷＰを含む、
方法。
【請求項１３】
請求項１２記載の方法であって、
周期的なメジャメントギャップの後に前記現在アクティブ化されているＢＷＰまたは前記構成された初期ＢＷＰに戻ると、前記ＵＥは、予めスケジュールされたＵＬチャネルにおいてメジャメントレポートを送信する、
方法。
【請求項１４】
請求項１記載の方法であって、
アドバンスドＵＥで用いられるために最初に構成されたインデックス付きＢＷＰのセットは、前記サービシングｇＮＢによって再構成され、該再構成は、既存の構成されたキャリアＢＷＰを現在の前記セットから削除すること、新しい構成されたキャリアＢＷＰを前記現在のセットに追加すること、または、既存の構成されたキャリアＢＷＰを前記現在のセットから削除し且つ構成されたキャリアＢＷＰを前記現在のセットに追加すること、を含む、
方法。
【請求項１５】
請求項１記載の方法であって、
ＢＷＰ動作性能を有し、且つ、複数のＣＣにわたる複数のＤＬ／ＵＬ ＢＷＰを有する複数のＤＬ／ＵＬ ＢＷＰのセットで構成された、ＦＤＤ ＵＥは、第１ＴＲＰによってサービスされるＵＨＦ帯域内の現在アクティブ化されたＤＬ ＢＷＰを、ＤＬデータ送信についてビームフォーミングおよび超広ＢＷを利用する第２ＴＲＰによってサービスされるＳＨＦまたはＥＨＦ内の他のアクティブ化されたＤＬ ＢＷＰへ切り替えように指示され、
アクティブ化されたＵＬ ＢＷＰは、ＵＬビームフォーミングを用いることの複雑さを取り除くために、前記第１ＴＲＰによってサービスされるＵＨＦ帯域にとどまる、
方法。
【請求項１６】
請求項１記載の方法であって、
前記アクティブＢＷＰスイッチング動作は、複数のＣＣの前記複数のレイヤにまたがり、これにより、略０ｍｓのハンドオーバ遅延が可能となる、
方法。
【請求項１７】
スケーラブルな新無線（ＮＲ）セルシステムであって、前記ＮＲセルシステムは、単一のｇＮＢと関連する複数の送受信ポイント（ＴＲＰ）とを有し、前記複数のＴＲＰは、複数のコンポーネントキャリア（ＣＣ）の複数のレイヤにクラウド無線インタフェースカバレッジを有するＮＲセルを定義し、
前記ＮＲセルシステムは、帯域幅部分（ＢＷＰ）動作について構成された、複数のカバレッジ内のアドバンスドＵＥをさらに有し、
前記ｇＮＢは、
前記ＮＲセルにおける１つの物理ＴＲＰを、第１ＣＣレイヤ上で動作する前記ｇＮＢの高電力分散ユニット（ＤＵ）として構成し、
前記ＮＲセルにおける残りの複数の物理ＴＲＰを、１つ又は複数の第２ＣＣレイヤ上で動作する前記ｇＮＢの低電力ＤＵとして構成し、
前記第１ＣＣレイヤおよび前記第２ＣＣレイヤのそれぞれにおけるキャリア帯域幅を、複数のＢＷＰを有するように構成し、
サービスを受けているまたはサービスを要求している１つ又は複数のアドバンスドＵＥを、アクティブＢＷＰスイッチング動作のために複数のインデックス付きＢＷＰのセットおよび構成可能な初期ＢＷＰを用いて、高レイヤシグナリングを介して構成し、
サービスを受けているまたはサービスを要求している１つ又は複数のアドバンスドＵＥを、アクティブＢＷＰアグリゲーション動作のために複数のインデックス付きＢＷＰの２つ以上のセットを用いて、高レイヤシグナリングを介して構成する、
ＮＲセルシステム。
【発明の詳細な説明】
【技術分野】
【０００１】
本発明は、概して、次世代（next generation）または5G無線通信システムに関する。より具体的には、本発明は、イントラ／インターキャリア帯域幅／ヌメロロジー適応（intra/inter-carriers bandwidth/numerology adaptation）、イントラ／インターキャリアまたはインター周波数ロードバランシング（intra/inter carriers or inter-frequency load balancing）、帯域幅部分（ＢＷＰ：bandwidth part）オペレーションを利用したゼロレイテンシハンドオーバの実現に使用するシステム、方法、およびデバイスに関する。帯域幅部分オペレーションは、ＢＷＰスイッチング（BWP switching）および／またはＢＷＰアグリゲーション（BWPs aggregation）を含む。
【背景技術】
【０００２】
略語
2021512539.tif 000003
2021512539.tif 000004
【０００３】
本明細書における先行技術への言及は、先行技術が共通の一般知識の一部を形成することの承認またはいかなる形の示唆としても受け取られるべきではない。
【０００４】
第４世代（4G）により、通信システムは、世界中で加速的に導入され、ＬＴＥ／ＬＴＥ−Ａ／ＬＴＥ−Ａ  Ｐｒｏテクノロジーの固有の利点（例えば、より高いデータレート、より低いレイテンシ、強化されたカバレッジ、およびサイドリンク通信）を利用する、より高度なサービスおよびアプリケーションが可能となっている。現在、第５世代（５Ｇ）のテクノロジーおよびサービスの開発に注目が集まっている。ワイヤレスシステムまたはセルラーシステムの設計および導入には何年もかかるが、５Ｇテクノロジーシステムの開発は、３ＧＰＰ標準化コミュニティにおいて段階的に検討されている。５Ｇシステムの商用展開についてのターゲットは、当初２０２０年に計画され、最近は２０１８年に前倒しされており、国際電気通信連合（ＩＴＵ）および第３世代パートナーシッププロジェクト（３ＧＰＰ）において、技術仕様開発の実現可能性調査を実施するために、および、新無線（ＮＲ：new radio）システムの要件を開発する作業が開始されている。その作業は、ITU-Rの「Framework and overall objectives of the future development of IMT for 2020 and beyond」であり（非特許文献１）、3GPP SA1の「“New Services and Markets Technology Enablers (SMARTER)” study item」であり（非特許文献２）、3GPP SA2の「“Architecture for NR System” study item」である（非特許文献３）。
【０００５】
３ＧＰＰ ＲＡＮ、特に3GPP-RAN-WG1（つまり、無線ワーキンググループ）によると、ＮＲまたは５Ｇシステムは、ＵＨＦ（超高周波（Ultra-high frequency））、ＳＨＦ（超高周波（Super-high frequency））からＥＨＦ（非常に高い周波数（Extremely-high frequency））までの、つまり、３ＧＨｚ未満の周波数帯域から５２．６ＧＨｚ周波数帯域までの周波数帯域において展開するために実装される。ＳＨＦ帯域およびＥＨＦ帯域において、電波の伝搬損失を減らすため、および、無線信号を送受信する際の伝送距離を伸ばすために、3GPP-RANによるＮＲシステムでの使用について、ビームフォーミング（beamforming）技術およびビームスイープ（beam sweeping）技術を含むいくつかの技術が、調査、承認、または採用されている。ビームスイープは、ビームが所定の方法で時間間隔（time interval）中に送信および／または受信されて、空間領域をカバーするオペレーションと見なされ、ＮＲセル内の１つまたは複数のユーザ機器（ＵＥ）は、１つ以上の指定されたインデックスの狭い（ＤＬまたはＵＬ）ビーム／ビーム群によってサービスされ得る。ＮＲのシステムにおいて、典型的な単一セル（例えば、図１の０２）は、カバレッジ内の複数のＵＥに対して、ビームスイープによる所望のカバレッジおよびビームフォーミングによるワイヤレス接続サービスを提供する、複数のＴＲＰ（transmission/reception points）を有していてもよい（非特許文献６）。ここで、ＵＥは、ビームフォーミング（ＤＬ／ＵＬ）サービスを提供しているＴＲＰ（ＴＲＰ群）の知識を持っていない。さらに、帯域幅部分（ＢＷＰ）も新機能としてこれから始まる３ＧＰＰのリリース１５に導入され、主に、広帯域キャリア（wideband carrier）内でのＵＥ帯域幅性能（UE bandwidth capability）の削減と、帯域幅適応（bandwidth adaptation）によるＵＥの電力エネルギー消費の削減とを可能にする。リリース１５について合意された例示的なＢＷＰ機能（BWP feature）を示す図２を参照すると、リリース１５のＮＲキャリア帯域幅は、オーバラップしないキャリアＢＷＰおよび／またはオーバラップするキャリアＢＷＰを含む（例えば、図２の０３）。キャリアＢＷ内の設定されたＢＷＰ群は、同じヌメロロジーおよび／または異なるヌメロロジーを有していてもよい。サービングセルの複数の帯域幅部分（ＢＷＰｓ）で動作するように構成されたＵＥは、サービングセルについてのＤＬ帯域幅（DL bandwidth）におけるＵＥによる信号受信についての最大４つの帯域幅部分（ＢＷＰｓ）のセット（DL BWPセット）とＵＬ帯域幅（UL bandwidth）におけるＵＥによる信号送信のための最大４つの帯域幅部分のセット（UL BWPセット）とを持つサービングセルについて上位レイヤによって構成される（例えば、図２の０４）。ペアになっていないスペクトルオペレーション（unpaired spectrum operation）については、構成された（構成済み）ＤＬ ＢＷＰのセットからのＤＬ ＢＷＰは、構成されたＵＬ ＢＷＰのセットからのＵＬ ＢＷＰにリンクされる。ペアになっていないスペクトルオペレーションについては、ＵＥは、ＤＬ ＢＷＰの中心周波数がＵＬ ＢＷＰの中心周波数と同じであることを期待できる。リリース１５では、サービングセル内のＵＥは、単一のダウンリンクおよびアップリンクのキャリア帯域幅部分（single downlink and uplink carrier bandwidth part）が特定の時間にアクティブになるように、構成される。リリース１５のＵＥは、それのサービングｇＮＢから、スケジューリング／グラントＤＣＩ（scheduling/grant DCI）またはMAC-CEメッセージを介して、現在アクティブなＢＷＰ（ＤＬまたはＵＬ）から別のアクティブなＢＷＰに切り替えるように指示されてもよい（例えば、図２の０５）。さらに、タイマベースのアクティブスイッチングが導入され、これにより、ＵＥは、構成されたタイマーの期限が切れたときに、アクティブ化されたＤＬおよび／またはＵＬ ＢＷＰから構成されたデフォルトまたは初期のＤＬおよび／またはＵＬ ＢＷＰに切り替えることができる。
【０００６】
３ＧＰＰリリース１５のＮＲ ＢＷＰオペレーションは、ＵＥの構成されたＢＷＰセット内の構成された複数のＢＷＰの間のＢＷＰスイッチングに制限されていることに注意してください。ここで、ＵＥの構成されたＢＷＰセット内の構成された複数のＢＷＰは、ＵＥの最大チャネルＢＷ（maximum channel BW）であることが望まれ、ＵＥの最大チャネルＢＷとサービングセルのキャリアＢＷとは同じであってもよい。
【０００７】
リリース１５のＮＲの先を見れば、出願人は、ＮＲのキャリアＢＷが特にＳＨＦ帯域およびＥＨＦ帯域では超広帯域であることを予測している。これは、可能なＵＥの最大チャネルＢＷよりも数倍広く、ＵＥの最大チャネルＢＷは、定義されたＵＥのカテゴリまたは性能（capability）に応じて異なる。さらに、出願人は、ＮＲのセルが構成可能なクラウド無線インタフェースを用いて仮想化されることを予測している。この構成可能なクラウド無線インタフェースは、ＢＷＰオペレーションの進化を必要とする、同じおよび／または異なる複数の周波数帯域からの複数のコンポーネントキャリアのいくつかのレイヤを含む。
【先行技術文献】
【非特許文献】
【０００８】
【非特許文献１】ITU-R  M.2083-0 (09/2015) - IMT Vision - Framework and overall objectives of the future development of IMT for 2020 and beyond
【非特許文献２】TR 22.891 v14.0.0 (2016-03) - Feasibility Study on New Services and Markets Technology Enablers
【非特許文献３】TR 23.799 v0.5.0 (2016-05) - Study on Architecture for Next Generation System
【非特許文献４】TR 38.802 - Study on NR New Radio Access Technology (Release 14)
【非特許文献５】TR 38.913 - Study on Scenarios and Requirements for Next Generation Access Technologies (Release 14)
【非特許文献６】TR 38.801 - Study on NR New Radio Access Technology (Release 14)
【非特許文献７】TS 38.211 v15.0.0 (2017-12) - Physical Channels and modulation (Release 15)
【非特許文献８】TS 38.212 v15.0.0 (2017-12) - Multiplexing and channel coding (Release 15)
【非特許文献９】TS 38.213 v15.0.0 (2017-12) - Physical layer procedures (Release 15)
【非特許文献１０】TS 38.321 v15.0.0 (2017-12) - Medium Access Control (MAC) protocol specification (Release 15)
【発明の概要】
【０００９】
本発明の一態様によれば、方法が提供され、該方法は、スケーラブルな新無線（ＮＲ）セルシステムにおいて用いられる方法であって、
前記ＮＲセルシステムは、単一のｇＮＢと関連する複数の物理送受信ポイント（ＴＲＰ）とを有し、前記複数のＴＲＰは、複数のコンポーネントキャリア（ＣＣ）の複数のレイヤにクラウド無線インタフェースカバレッジを有するＮＲセルを定義し、
前記ＮＲセルシステムは、帯域幅部分（ＢＷＰ）動作について構成された、複数のカバレッジ内のアドバンスドＵＥをさらに有し、
前記方法は、
前記ｇＮＢが、前記ＮＲセルにおける１つの物理ＴＲＰを、第１ＣＣレイヤ上で動作する前記ｇＮＢの高電力分散ユニット（ＤＵ）として構成すること、
前記ｇＮＢが、前記ＮＲセルにおける残りの複数の物理ＴＲＰを、１つ又は複数の第２ＣＣレイヤ上で動作する前記ｇＮＢの低電力ＤＵとして構成すること、
前記ｇＮＢが、前記第１ＣＣレイヤおよび前記第２ＣＣレイヤのそれぞれにおけるキャリア帯域幅を、複数のＢＷＰを有するように構成すること、
前記ｇＮＢが高レイヤシグナリングを介して、サービスを受けているまたはサービスを要求している１つ又は複数のアドバンスドＵＥを、アクティブＢＷＰスイッチング動作のために複数のインデックス付きＢＷＰのセットおよび構成可能な初期ＢＷＰを用いて構成すること、および、
前記ｇＮＢが高レイヤシグナリングを介して、サービスを受けているまたはサービスを要求している１つ又は複数のアドバンスドＵＥを、アクティブＢＷＰアグリゲーション動作のために複数のインデックス付きＢＷＰの２つ以上のセットを用いて構成すること、
を含む。
【００１０】
本発明の好ましい実施形態は、帯域幅部分（ＢＷＰ）スイッチングおよび／または帯域幅部分アグリゲーションを利用して、イントラ／インターキャリア帯域幅アダプテーション、イントラ／インターキャリアまたはインター周波数ロードバランシング、ゼロレイテンシハンドオーバを実現することにおいて、第５世代（５Ｇ）または新無線（ＮＲ）などの高度な無線通信システムで使用するためのシステム、方法、およびデバイスを対象とし、これらは、欠点の少なくとも１つを少なくとも部分的に克服するか、または、背景技術において特定または検討した要件の少なくとも１つを満たすか、または、有用なまたは商業的な選択肢を消費者に提供する。
【００１１】
１つの広義の形態では、本発明の好ましい実施形態は、ＵＨＦからＳＨＦおよびＥＨＦまでの周波数帯域における複数キャリアの複数のレイヤ上で信号の送信および受信のための無線関連機能を同時に実行する際に、複数の関連する物理送信／受信ポイント（ＴＲＰ）を構成および調整する論理ノードｇＮＢを有するスケーラブルなＮＲセル構造に関する。
【００１２】
本発明の一実施形態によれば、前述のＮＲセル構造におけるＢＷＰスイッチング動作の場合、アドバンスドＵＥは、サービスしているｇＮＢによって、最大で１つセットのインデックス付きＢＷＰを有するように構成され得る。アドバンスドＵＥでＢＷＰスイッチング動作のために構成されたセット内のＢＷＰは、インデックス付きキャリアＢＷＰである。これらのインデックス付きキャリアＢＷＰは、ＮＲセルのクラウド無線インタフェースを形成する１つのキャリアまたは複数のキャリアに属する。さらに、アドバンスドＵＥでＢＷＰスイッチング動作のために構成されたセット内のＢＷＰは、構成されたキャリアＢＷＰインデックスと所属するキャリアインデックスとの組み合わせに基づいてインデックスが付けられる。ＵＥのＢＷＰインデックスは、ＢＷＰスイッチングの指示のために、ＵＥおよびそのサービス提供ｇＮＢによって参照として用いられる。ｇＮＢはさらに、構成されたセット内のインデックス付きＢＷＰを「初期ＢＷＰ」として選択し、「初期ＢＷＰ」インデックスを、サービスを受けるＵＥに示してもよい。サービスしているｇＮＢは、ＵＥでの「初期ＢＷＰ」を適応的に再構成しもよく、さらに、ＤＣＩまたはＭＡＣ ＣＥメッセージを使用して「初期ＢＷＰ」構成の変更を示してもよい。インデックス付きＢＷＰの同じセットを共有するＮＲセル内の複数のアドバンスドＵＥは、同じまたは異なる構成された／再構成された「初期ＢＷＰ」を持っていてもよい。
【００１３】
本発明の別の実施形態によれば、ＢＷＰアグリゲーション動作の場合、アドバンスドＵＥは、そのサービス提供ｇＮＢによって、プライマリセットおよび複数のセカンダリセットを含む、インデックス付きＢＷＰの少なくとも２つのセットを有するように構成され得る。セカンダリセットまたはセカンダリセット内のインデックス付きＢＷＰをアクティブ化すると、ＢＷＰアグリゲーションが可能になる。
【００１４】
本発明の他の実施形態によれば、サービスを提供するｇＮＢは、サービスされるＵＥでのＢＷＰ動作のために構成されたインデックス付きＢＷＰのセットを適応的に再構成することができ、この再構成は、既存の構成されたＢＷＰをセットから削除するか、または、新しい構成されたＢＷＰをセットに追加するか、または、セット内の既存の構成されたＢＷＰを新しい構成されたＢＷＰで置き換える、形で現れ得る。
【００１５】
本発明のさらなる実施形態によれば、ＵＥの最大チャネルＢＷ内に存在しない２つ以上のインデックス付きＢＷＰを有するアドバンスドＵＥにおけるＢＷＰ動作のためのインデックス付きＢＷＰのセットを構成する場合、サービス提供ｇＮＢは、サービスされるＵＥを、ＲＲＭ／ＣＳＩメジャメントのための周期的なメジャメントギャップでさらに構成する。構成されたメジャメントギャップにおいて、アドバンスドＵＥは、複数の中心周波数を１つ以上の構成されたＢＷＰに再調整し、ＲＲＭ／ＣＳＩメジャメントを実行する必要がある。現在アクティブなＢＷＰまたは初期ＢＷＰに戻ると、アドバンスドＵＥは、メジャメントレポートをサービス提供ｇＮＢに、好ましくは事前にスケジュールされたＵＬチャネルで送信し、ここで、メジャメントレポートは、サービス提供ｇＮＢでのアクティブＢＷＰスイッチングの決定を支援する。
【００１６】
本明細書に記載されている特徴のいずれも、本発明の範囲内で、本明細書に記載されている他の特徴のいずれか１つまたは複数と任意の組み合わせで組み合わせることができる。
【図面の簡単な説明】
【００１７】
本発明の好ましい特徴、実施形態および変形は、当業者が本発明を実施するのに十分な情報を提供する以下の詳細な説明から識別することができる。詳細な説明は、前述の発明の概要の範囲を決して限定するものと見なされるべきではない。詳細な説明は、以下のように複数の図面を参照する。
【図１】図１は、関連技術、つまり、ＬＴＥおよび５ＧのＮＲによる単一セルシステムである。
【図２】図２は、関連技術、つまり、リリース１５のＮＲによる例示的なＢＷＰ構成である。
【図３】図３は、本発明の実施形態による、マルチレイヤＣＣｓセルにおいて帯域幅部分構成およびスイッチングを実現するための、高度な無線通信システムおよび方法である。
【図４】図４は、マルチレイヤＣＣｓセルシステムにおいてＢＷＰスイッチングおよびＢＷＰアグリゲーションを実現するためのＢＷＰ構成の方法である。
【図５】図５は、本発明の実施形態による、キャリアＢＷ−ＵＥのチャネルＢＷ−ＢＷＰの定義および関係である。
【図６】図６は、開示された発明の実施形態によるＢＷＰインデックス付けである。
【図７】図７は、開示された発明の実施形態による、ＢＷＰスイッチングを実現するための例示的なＢＷＰ構成セットである。
【図８】図８は、開示された発明の実施形態による、ＢＷＰアグリゲーションを実現するための例示的なＢＷＰ構成セットである。
【図９】図９は、ＢＷＰスイッチングおよびＢＷＰアグリゲーションを実現するための例示的なＢＷＰセット構成である（シングルレイヤＣＣ）。
【図１０】図１０は、マルチレイヤＣＣｓセルシステムにおいてＢＷＰスイッチングを実現する場合の例示的なＢＷＰセット構成である（２レイヤＣＣｓ）。
【図１１】図１１は、マルチレイヤＣＣｓセルシステムにおいてＢＷＰアグリゲーションを実現する場合の例示的なＢＷＰセット構成である（２レイヤＣＣｓ）。
【図１２】図１２は、マルチレイヤＣＣｓセルシステムにおいてＢＷＰスイッチングを実現する場合の例示的なＢＷＰセット構成である。
【発明を実施するための形態】
【００１８】
図１は、関連技術によるＬＴＥセル構造（０１）およびＮＲのセル構造（０２）を概略的に示す。
【００１９】
ＬＴＥ技術によれば、１つまたはいくつかのセルは、すべての無線関連機能を担当する論理ノード、つまりｅＮＢによって制御／管理される（０１）。ＬＴＥシステムでは、ＬＴＥ ＵＥは、ＬＴＥのセルをサーチし、識別し、選択し、識別可能なセルのアクセスポイントを介して直接通信する。あるセルのカバレッジから別のセル（これらのセルは、同じまたは異なるｅＮＢに属している可能性がある）のカバレッジに移動することは、ＵＥでのセル再選択手順（つまり、ＵＥがRRC_IDLEモードの場合）またはハンドオーバ手順（つまり、ＵＥがRRC_CONNECTEDモードの場合）をトリガする。図１（０１）には示されていないが、ＬＴＥ−Ａは、また、Ｈｅｔｎｅｔ技術をサポートする。Ｈｅｔｎｅｔ技術では、低電力マイクロセルが、同じチャネルまたは異なるチャネルで動作する高電力マクロセル内にネストされ得、単位面積あたりのスペクトル効率を最大化し、より高いネットワーク容量および強化されたユーザエクスペリエンスを提供するために、キャリアアグリゲーションおよび協調的なマルチポイント（coordinated multipoint）のような特徴を利用し得る。
【００２０】
現在開発されているＮＲ技術によると、ＮＲセル（０２）は、論理的ノード（logical node）としての１つの識別可能なｇＮＢの中央ユニット（ＣＵ：central unit ）、つまり、ｇＮＢに属している、ｇＮＢの複数の物理分散ユニット（ＤＵｓ：distributed units）としての１つ又は複数の送受信ポイント（ＴＲＰｓ：transmission-reception-points）を含むように、改革されている。ビームスイープ技術が採用されており、ここでは、所定の方法で時間間隔（time interval）中にＮＲセル内の１つまたは複数のＴＲＰからビームが送信され、および／または、そのＴＲＰにてビームが受信されて、最初のアクセスについて望まれるカバレッジを達成する。ＵＥ固有の専用データの送信／受信サービスについて、アダプティブビームフォーミングを使用して信号を送受信する際に、サービスを提供するＴＲＰｓおよびサービスされるＵＥｓにて、ＤＬビームフォーミングおよび／またはＵＬビームフォーミング技術が用いられる。複数のＴＲＰによってサービスされるＮＲセル内を移動することは、ＵＥでのビーム選択および／またはビーム再選択手順をトリガする。複数のＴＲＰで定義されたＮＲセルでは、ＵＥは、ビーム形成された信号をＵＥに送信するＴＲＰ、または、ＵＥによって送信された（ビーム形成されたまたはビーム形成されていない）信号を受信するＴＲＰを認識していない。ＵＥにサービスを提供する１つまたは複数の協調的な固定のＴＲＰｓからのＤＬビームフォーミングは、ＵＥの位置が狭くビームフォーミングされた信号送信について物理的に追跡され得るので、実際に実現可能である。しかしながら、ＵＬビームフォーミングは、UEのランダムな向きのために実現が困難で実用的でない可能性があり、ＵＥは、通信する物理ＴＲＰｓの知識を有していない。ＵＥへのＤＬビーム形成信号（DL beam-formed signal）は、ＮＲセル内の１つのＴＲＰまたはいくつかの協調的なＴＲＰｓから来る可能性がある。一方、ＵＥからのＵＬビーム形成または非ビーム形成信号（UL beam-formed or non-beam-formed signal）は、他のＴＲＰに到達できるおよび／または受信される得る可能性がある。以降の段落で説明する、複数のコンポーネントキャリアのマルチレイヤを持つ提案されたＮＲセル構造およびＢＷＰの進化は、前述のＵＬビームフォーミングの問題を解決するだけでなく、セルラモバイルネットワークを定義する新しい次元を開くこととセル容量を柔軟に増加させることのためのメカニズムを提供するであろう。
【００２１】
提案されたスケーラブルな無線通信システムを例示的に示す図３を参照すると、複数のコンポーネントキャリア（ＣＣｓ）および関連する複数の装置の複数のレイヤにおいてＢＷＰを構成および操作するための方法が提供され、ここにおいて、本発明の例示的な実施形態が前進するために分析され、議論され、または、実行される。ワイヤレス通信システム（１０）は、将来の５Ｇネットワークで使用するための革新的なＮＲシングルセルとして考えられ、その５Ｇネットワークは、ｇＮＢのＣＵ（セントラルユニット）を表す論理ノード（２０）と、ｇＮＢのＤＵｓ（複数の分散ユニット）を表す複数の関連する物理ＴＲＰｓ（３１，３２，３３，３４）とを含んでいる。ｇＮＢのＣＵは、無線関連機能の上位レイヤを担当し、関連するＴＲＰｓ（３１，３２，３３，３４）は、無線関連機能の低位レイヤを担当する。ｇＮＢ（２０）とそれに関連するＴＲＰｓ（３１，３２，３３，３４）は、望ましいカバレッジ（３０）を持つクラウド無線インタフェースと、ビーム掃引およびビームフォーミング無線接続サービスとを、ＬＴＥ ＵＥ（４０）及びアドバンスドＵＥｓ（５０，６０，７０，８０）を含む複数のユーザ機器（ＵＥ）へ提供する。アドバンスドＵＥｓ（例えば、５０，６０，７０，８０）は、ＢＷＰ（帯域幅部分）オペレーションが可能である。上記の複数のアドバンスドＵＥのうち、ＵＥ（７０）などの１つまたは複数のＵＥは、２つ以上のＲＦチェーンを備えており、したがって、キャリアアグリゲーション（ＣＡ）を実行することができる。開示される方法によれば、それらのＵＥは、ＢＷＰアグリゲーションを実現するように構成され得る。本発明の一実施形態では、ＮＲセルカバレッジ（例えば３０）を形成し且つ同じ識別可能なセルＩＤを共有する複数のＴＲＰの間で、第１レイヤＣＣ（first layer CC）にて信号を送受信するように構成されている高電力（high power）ＤＵ（例えば３１）のようなＴＲＰが少なくとも１つ存在してもよい。高移動度ＵＥ（high mobility UEs）およびレガシーＬＴＥ ＵＥに対応する広いカバレッジを実現するに、高電力ＴＲＰがＵＨＦ帯域内のペアのスペクトルで動作していることが望ましい場合がある。残りのＴＲＰｓ（例えば、３２、３３、および３４）は、高密度に配置され得る低電力ＤＵであってもよい。低電力ＴＲＰｓは、使用可能な超広帯域帯域幅（super-wideband bandwidth）を得るために、ＵＨＦ帯域または好ましくはＳＨＦ帯域および／またはＥＨＦ帯域内のペアおよび／または非ペアスペクトル（paired and/or unpaired spectrum）上のＣＣの他の複数のレイヤ（例えば、第２レイヤＣＣｓ、第３レイヤＣＣｓ等）にて信号を送受信するように構成されてもよい。ＣＣｓのすべてのレイヤの複数のキャリアＢＷは、さらに、ＵＥの構成のために１つまたは複数のＢＷＰを有するように構成される。
【００２２】
マルチレイヤＣＣセル（multi-layer CCs cell）における前述のＢＷＰ構成の概念が、図４にさらに例示されている。図４を参照すると、５Ｇ−ＮＲセルは、全体的に設計されたセルカバレッジ（１０１）を提供する、１つのタイプ１ ＴＲＰ、複数のタイプ２ ＴＲＰ、および、複数のタイプ３ ＴＲＰから形成されてもよい。タイプ１ ＴＲＰは、第１レイヤＣＣ（１０２）にて信号を送受信するように構成され、タイプ２ ＴＲＰおよびタイプ３ ＴＲＰは、それぞれ第２レイヤＣＣ（１０３）および第３レイヤＣＣ（１０４）にて信号を送受信するように構成される。タイプ１ ＴＲＰのキャリアＢＷは、７つのインデックス付きのＢＷＰｓ（１１０、たとえばＢＷＰ＃１，２，３，４，５，６，７）を有するように構成される。一方、タイプ２ ＴＲＰのキャリアＢＷおよびタイプ３ ＴＲＰのキャリアＢＷは、他の７つのインデックス付きのＢＷＰ（１２０、たとえばＢＷＰ＃１，２，３，４，５，６，７）および他の７つのインデックス付きのＢＷＰ（１３０、たとえばＢＷＰ＃１，２，３，４，５，６，７）をそれぞれ有するように構成される。関連する図５を参照すると、ＮＲシステムのキャリア帯域幅（例えば、図５の１１１）は、図５の例１１０に図示されるように、ＵＥの最大チャネルＢＷ（例えば、ＵＥ２の１６１およびＵＥ３の１６２）よりも広くてもよい。構成されたキャリアＢＷＰ（たとえば１１２）のＢＷは、ＵＥの最大チャネルＢＷ（たとえば１６０、１６１、または１６２）以下であってもよい。図４を参照すると、アドバンスドＵＥは、複数のキャリアＢＷＰのセットによって構成されてもよく、ここで、構成されたすべてのＢＷＰｓは、１つの構成されたレイヤＣＣ内であってもよいし（たとえば、１０２からの１１３および１１４）、または、ＮＲセルにおけるいくつかの構成されたレイヤＣＣｓから構成されてもよい（例えば、１０２，１０３、および１０４からの１１３、１１５、１２１、１３１）。アドバンスドＵＥにて使用するように構成されている構成済みのＢＷＰｓのセットは、サービスを提供するｇＮＢによって再構成されてもよく、この再構成は、既存のインデックス付きのＢＷＰ構成を削除するか、新しいインデックス付きのＢＷＰ構成を追加するか、または、インデックス付きのＢＷＰ構成を削除し且つ追加することによって行われる。アドバンスドＵＥは、構成されたＢＷＰｓのセットから選択される「初期ＢＷＰ（initial BWP）」（たとえば、１０２からの１１４）でさらに構成されてもよい。信号の受信および／または送信のためのアクティブモードにある間、アドバンスドＵＥは、サービスを提供するサービングｇＮＢによって、現在アクティブ化されているＢＷＰから別のアクティブ化されるＢＷＰに切り替えるように指示されてもよい。ここで、現在アクティブ化されているＢＷＰと次にアクティブ化されるＢＷＰとは、ＮＲセル内のＵＥの位置、要求に応じたサービス（service on demand）、要求に応じたＱｏＳ（QoS on demand）、リソース可用性（resource availability）などに応じて、同じＣＣ（例えば１５０）内にあってもよいし、または、異なる複数のＣＣ（例えば、１５１、１５２、１５３、１５４）上にあってもよい。
【００２３】
本実施形態によれば、メッセージ構造２００（図６）を参照すると、上記のＣＣセル構造のマルチレイヤ（multi layers of CCs cell structure）においてＢＷＰスイッチングについてのＢＷＰ構成を実現する際に、ＵＥの構成されたＢＷＰインデックス（２０１）は、構成されたＢＷＰインデックス（２０２）と、構成されたＢＷＰが属するＣＣインデックス（２０３）との組み合わせとして定義される。構成可能な「初期ＢＷＰ」（configurable ‘initial BWP’）を使用すると、構成されたＢＷＰｓの同じセットを共有する複数のアドバンスドＵＥは、異なる「初期ＢＷＰインデックス」を用いて構成されてもよい。たとえば、図７のＵＥ１は、ＢＷＰｓのセット（２１１）によって構成されてもよく、これは、ＵＥ２が使用するように構成されているＢＷＰｓのセット（２１５）と同じである。ただし、ＵＥ１は、複数の初期ＢＷＰインデックス（２１２）としてのＤＬ ＢＷＰ０およびＵＬ ＢＷＰ０によって構成されてもよく、これらのＢＷＰインデックスは、信号の送受信についてＵＥ１の現在アクティブ化されているＢＷＰインデックスでもある。ここで、ＵＥ２は、複数の初期ＢＷＰインデックス（２１６）としてのＤＬ ＢＷＰ１およびＵＬ ＢＷＰ１と、信号の送受信についてＵＥ２の現在アクティブ化している複数のＢＷＰインデックスとしてのＤＬ ＢＷＰ３およびＵＬ ＢＷＰ０とによって構成されている。異なる構成された「初期BWP」を有する同じセル内の複数のアドバンスドＵＥは、ｇＮＢが、初期アクセス（initial access）のために、または、接続の再確立（connection re-establishment）若しくは接続の回復（connection recovery）のために、異なる複数のＴＲＰおよび／または異なる複数のキャリアＢＷＰを構成する、ことを可能にしてもよい。
【００２４】
本実施形態によれば、図８の例２５０を参照して説明すると、ＣＡ（キャリアアグリゲーション）のための複数のＲＦチェーンを備えたアドバンスドＵＥは、構成されたＢＷＰｓの最大１つのプライマリセット（２５１）と、ＢＷＰアグリゲーションを実現するための構成されたＢＷＰｓの１つまたは複数のセカンダリセット（２５２）とによって、構成されてもよい。構成されたＢＷＰｓのセカンダリセット（２５２）またはそのセカンダリセット内の構成されたＢＷＰをアクティブ化すると、ＢＷＰアグリゲーションが可能になる。
【００２５】
図３のワイヤレス通信システム１０で概説されているＣＣｓのマルチレイヤを備えたＮＲセルにおけるアドバンスドＵＥｓ（５０、６０、７０、８０）で用いられる、ＢＷＰスイッチングまたはＢＷＰアグリゲーションでのＢＷＰ構成およびオペレーションの複数のシナリオは、図９、図１０、図１１および図１２に示される例を通して、以下のように個々のＵＥベースについてさらに詳細に説明される。
【００２６】
キャリアＢＷ内のＢＷＰスイッチングおよびＢＷＰアグリゲーションに関する例示的な図９を参照すると、ＵＥ（５０）は、単一のＴＲＰ１（３１）を介してｇＮＢ（２０）によってサービスを受けてもよい。ＴＲＰ（３１）は、ＵＥ（５０）の最大チャネルＢＷ（１６１）よりも広いキャリアＢＷ（１１１）を有するＣＣ１上で動作するように構成されてもよい。ＢＷＰオペレーションの目的のために、ＴＲＰ１（３１）は、１から７までのインデックスが付けられた７つのキャリアＢＷＰ（１１０）を備えるように構成されてもよい。ＢＷＰスイッチングオペレーションの場合、ＵＥ（５０）は、インデックス［０，１，２，３］を持つＢＷＰｓのセット（２５１）で構成されてもよく、ここで、ＵＥ−ＢＷＰ０は、ＢＷＰ−１．２とラベル付けされた、ＣＣ１のＢＷＰ２であり、ＵＥ−ＢＷＰ１は、ＢＷＰ−１．３とラベル付けされた、ＣＣ１のＢＷＰ５であり、ＵＥ−ＢＷＰ２は、ＵＥの初期ＢＷＰとしてＢＷＰ−１．５とラベル付けされた、ＣＣ１のＢＷＰ５であり、ＵＥ−ＢＷＰ３は、ＢＷＰ−１．６とラベル付けされた、ＣＣ１のＢＷＰ６である。ＢＷアダプテーションを実現し且つ最適なＵＥの電力使用を可能にする場合、高スループットのデータ送受信のために、ＵＥ（５０）は、ＵＥ−ＢＷＰ２（５１）からＵＥ−ＢＷＰ１（５２）に切り替えるように指示されてもよい。この場合、ＵＥ（５０）はＣＡが可能であり、ＵＥ（５０）は、プライマリセット（２５４）およびセカンダリセット（２５５）を含むＢＷＰｓのセット（２５３）で構成されてもよい。ここで、プライマリセット（２５４）は、ＣＣ１のＢＷＰ２であるＵＥ−ＢＷＰ０とＣＣ１のＢＷＰ５であるＵＥ−ＢＷＰ１とを含み、セカンダリセット（２５５）は、ＣＣ１のＢＷＰ３であるＵＥ−ＢＷＰ０とＣＣ１のＢＷＰ６であるＵＥ−ＢＷＰ１とを含む。プライマリセットのＵＥ−ＢＷＰ１とセカンダリセットのＵＥ−ＢＷＰ０とを同時にアクティブにすると、例えば、ＵＥ−ＢＷＰ０（ＢＷＰ−１．３）およびＵＥ−ＢＷＰ１（ＢＷＰ−１．５）のＢＷＰアグリゲーションが可能になる。
【００２７】
複数のＣＣにわたるＢＷＰスイッチングについての例示的な図１０を参照すると、ＵＥ（６０）は、２つの並置されていないまたは区別されたＴＲＰ１（３１）およびＴＲＰ２（３２）を介してｇＮＢ（２０）によってサービスされ得る。ＵＥ（６０）は、ＣＡに対応していない。ＴＲＰ（３１）は、キャリアＢＷ（１１１）のＣＣ１で動作するように構成されてもよく、ＴＲＰ（３２）は、キャリアＢＷ（１２２）のＣＣ２で動作するように構成されてもよく、ここで、ＣＣ１のＢＷおよびＣＣ２のＢＷは、ＵＥ（６０）の最大チャネル帯域幅（１６１）より広くてもよい。ＢＷＰオペレーションの目的で、ＴＲＰ１（３１）は、１から７までのインデックスが付けられた７つのキャリアＢＷＰ（１１０）を含むように構成されてもよく、ＴＲＰ２（３２）は、１から７までのインデックスが付けられた７つのキャリアＢＷＰ（１２０）を含むように構成されてもよい。複数のＣＣにわたるＢＷＰスイッチング動作の場合、ＵＥ（６０）は、インデックス［０，１，２，３］を持つＢＷＰｓのセット（２５１）で構成されてもよく、ここで、ＵＥ−ＢＷＰ０は、ＢＷＰ−１．２とラベル付けされたＣＣ１のＢＷＰ２であり、ＵＥ−ＢＷＰ１は、ＢＷＰ−２．３とラベル付けされたＣＣ２のＢＷＰ３であり、ＵＥ−ＢＷＰ２は、ＵＥの構成された初期ＢＷＰとしてＢＷＰ−１．５とラベル付けされたＣＣ１のＢＷＰ５であり、ＵＥ−ＢＷＰ３は、ＢＷＰ−２．６とラベル付けされたＣＣ２のＢＷＰ６である。構成された初期ＢＷＰのヌメロロジーおよびキャリア周波数と異なるヌメロロジーおよびキャリア周波数でＱｏＳが最適化されるＢＷアダブテーション（６３）を実現する際、ＵＥ（６０）は、ＴＲＰ１（３１）によってサービスされる現在アクティブ化されているＵＥ−ＢＷＰ２（６１）から、ＴＲＰ２（３２）によってサービスされる次のアクティブ化されたＵＥ−ＢＷＰ１（６２）へ切り替えるように指示されてもよい。
【００２８】
複数のＣＣにわたるＤＬ ＢＷＰアグリゲーションに関する例示的な図１１を参照すると、ＵＥ（７０）は、２つの並置されていないＴＲＰ１（３１）およびＴＲＰ２（３２）を同時に介してｇＮＢ（２０）によってサービスされ得る。ＵＥ（７０）は、ＣＡのための複数のＲＦチェーンを有する。ＴＲＰ（３１）は、キャリアＢＷ（１１１）を持つＣＣ１で動作するように構成されてもよく、ＴＲＰ（３２）は、キャリアBW（１２２）を持つＣＣ２で動作するように構成されてもよく、ＣＣ２のＢＷは、ＵＥ（７０）の最大チャンネル帯域幅（１６１）よりも広くてもよい。ＢＷＰオペレーションの目的で、ＴＲＰ１（３１）は、１から３までのインデックスが付けられた３つのキャリアＢＷＰ（１１０）を限定的に含むように構成されてもよく、ＴＲＰ２（３２）は、より広いキャリアBWで１から７までのインデックスが付けられた７つのキャリアＢＷＰ（１２０）を含むように構成されてもよい。複数のＣＣにわたるＢＷＰアグリゲーションオペレーションの場合、ＵＥ（７０）は、ＢＷＰｓのプライマリセットおよびセカンダリセット（２５０）で構成されてもよい。プライマリセット（２５１）は、インデックス［０，１，２］を持つ構成されたＢＷＰｓを有し、ここで、ＵＥ−ＢＷＰ０は、ＢＷＰ−１．１とラベル付けされたＣＣ１のＢＷＰ１であり、ＵＥ−ＢＷＰ１は、ＢＷＰ−１．２とラベル付けされたＣＣ２のＢＷＰ２であり、ＵＥ−ＢＷＰ２は、ＢＷＰ−１．３とラベル付けされたＣＣ１のＢＷＰ３である。セカンダリセット（２５２）は、インデックス［０，１，２，３］を持つ構成されたＢＷＰｓを有し、ここで、ＵＥ−ＢＷＰ０は、ＢＷＰ−２．２とラベル付けされたＣＣ２のＢＷＰ２であり、ＵＥ−ＢＷＰ１は、ＢＷＰ−２．４とラベル付けされたＣＣ２のＢＷＰ４であり、ＵＥ−ＢＷＰ２は、ＢＷＰ−２．５とラベル付けされたＣＣ２のＢＷＰ５であり、ＵＥ−ＢＷＰ３は、ＢＷＰ−２．６とラベル付けされたＣＣ２のＢＷＰ６である。ＵＥ（７０）がＤＬ ＵＥ−ＢＷＰ−１．０（７１）のＴＲＰ１（３１）とＤＬ ＵＥ−ＢＷＰ−２．０（７２）のＴＲＰ２（３２）との両方によって同時にサービスされるＢＷＰアグリゲーション（７３）の実現する際、構成されたＵＬ ＢＷＰは、最適なＵＬ信号の送受信（７７）のために、プライマリＢＷＰセットとリンクされる。例に示すように構成されたＢＷＰｓのプライマリセットまたは構成されたＢＷＰｓのセカンダリセットが１つのキャリアＢＷ内の複数のＢＷＰを含むことに限定されない、ことに注意すべきである。
【００２９】
例示的な図１２を参照すると、最適なビーム形成されたＤＬ信号の送受信のための２つ以上のＣＣにわたるＤＬ ＢＷＰスイッチングに関する作業シナリオが示され、ここで、ＵＬ ＢＷＰスイッチングは、ＵＬビームフォーミングの複雑さ無しに、最適なＵＬ信号の送受信のために同じＣＣ上に留まる。
【００３０】
本実施形態によれば、ＵＥ（８０）は、ＤＬ信号の送信／受信のために、２つ以上の並置されていないＴＲＰ（例えば、対のスペクトル上のＴＲＰ１（３１）および対のないスペクトル上のＴＲＰ３（３３））を介してｇＮＢ（２０）によってサービスされてもよく、ここでは、超広帯域幅でのアダプティブＤＬビームフォーミングがＴＲＰ３で提供され得る。ＵＬ信号の送信／受信については、ＵＥ（８０）は、単一のＴＲＰ１（３１）を介してｇＮＢ（２０）によってサービスされてもよい。ＵＥ（８０）は、単一のＤＬおよびＵＬ ＲＦチェーンを有するＦＤＤ ＵＥであり、したがって、ＣＡが不可能である。ＴＲＰ１（３１）は、キャリアＢＷ（１１１）を持つペアになっているＣＣ１で動作するように構成されてもよく、ＴＲＰ３（３３）は、キャリアＢＷ（１３２）を持つペアになっていないＣＣ３で動作するように構成されてもよく、ここで、ＣＣ３のＢＷは、ＵＥの最大チャネル帯域幅（１６１）よりも幅が広くてもよい。ＢＷＰオペレーションの目的で、ＴＲＰ１（３１）は、１から３までのインデックスが付けられた３つのキャリアＤＬ ＢＷＰ（１１０．１）と、１から３までのインデックスが付けられた３つのキャリアＵＬ ＢＷＰ（１１０．２）とを限定的に含むように構成されてもよく、ＴＲＰ３（３３）は、より広いキャリアＢＷで１から７までのインデックスが付けられた７つのキャリアＢＷＰ（１３０）を含むように構成されてもよい。ＴＲＰ３からの最適な適応ビーム形成信号送信を利用するＣＣ１およびＣＣ３にわたるＢＷＰスイッチング動作の場合、ＵＥ（８０）は、インデックス［０，１，２，３］を有するＤＬ ＢＷＰｓのセット（２５１．１）で構成されてもよい。ここで、ＵＥ ＤＬ−ＢＷＰ０は、ＤＬ ＢＷＰ−１．１とラベル付けされたＣＣ１のＤＬ ＢＷＰ１であり、ＵＥ ＤＬ−ＢＷＰ１は、ＤＬ ＢＷＰ−１．２とラベル付けされたＣＣ１のＤＬ ＢＷＰ２であり、ＵＥ ＤＬ−ＢＷＰ２は、ＤＬ ＢＷＰ−３．２とラベル付けされたＣＣ３のＤＬ ＢＷＰ２であり、ＵＥ ＤＬ−ＢＷＰ３は、ＤＬ ＢＷＰ−３．５とラベル付けされたＣＣ３のＤＬ ＢＷＰ５である。ＵＥ（８０）は、ＦＤＤ ＵＥであるため、インデックス［０，１，２］を持つＵＬ ＢＷＰｓのセット（２５１．２）でさらに構成されてもよく、ここで、構成されたすべてのＵＬ−ＢＷＰは、ＴＲＰ１（３３）からのＣＣ１（１１１）上であってもよい。ＴＲＰ３によって提供されるヌメロロジーおよびキャリア周波数の適応ビーム形成でＱｏＳが最適化されるＢＷアダブテーション（６３）の実現する際に、ＵＥ（８０）は、ＴＲＰ１（３１）によってサービスされるＵＥ ＤＬ−ＢＷＰ−０（８１）上の非ビーム形成信号から、ＴＲＰ３（３３）によってサービスされるＵＥ ＤＬ−ＢＷＰ−２（８２）上のビームフォーミング信号に切り替えるように指示されてもよい。ＵＬビームフォーミングの複雑さを排除する際、ＵＥ（８０）は、ＣＣ１の初期ＵＥ ＵＬ−ＢＷＰ−１から、ＵＬ信号送信のためのＴＲＰ１（３１）によってサービスされるＣＣ１のＵＥ ＵＬ−ＢＷＰ−２（８７）に切り替えるように指示されてもよい。
【００３１】
上記のようにＢＷＰスイッチングおよび／またはＢＷＰアグリゲーションについてのＢＷＰ構成を持つＣＣｓの複数のレイヤで協調して動作する複数のＴＲＰを含むＮＲセルシステムにおいて、アドバンスドＵＥは、インデックスが付されたＢＷＰｓのセットによって構成されてもよく、ここで、そのセット内の２つ以上のインデックス付きＢＷＰは、ＵＥの最大チャネルＢＷ内に存在しなくてもよい。本実施形態によれば、アドバンストＵＥは、ＵＥの最大チャネルＢＷの外側にある、構成されたＢＷＰ上のＲＲＭ／ＣＳＩメジャメントのための定期的なメジャメントギャップ（periodic measurement gaps）でさらに構成され、ＵＥの最大チャネルＢＷは、現在のアクティブＢＷＰまたは構成された初期ＢＷＰを含んでいる。構成された測定ギャップにおいて、アドバンスドＵＥは、中心周波数を１つ以上の構成されたＢＷＰに再調整し、ＲＲＭ／ＣＳＩメジャメントを実行する必要がある。現在アクティブなＢＷＰまたは初期ＢＷＰに戻ると、アドバンスドＵＥは、メジャメントレポートをサービス提供ｇＮＢに好ましくは予めスケジュールされた複数のＵＬチャネルで送信する必要があり、メジャメントレポートは、サービス提供ｇＮＢでのアクティブＢＷＰスイッチングの決定をアシストする。
【００３２】
有利なことに、前述の実施形態は、キャリア間／周波数間の帯域幅／ヌメロロジーアダプテーション（inter carriers/frequency bandwidth/numerology adaptation）、および、ゼロ遅延のキャリア間／周波数間のハンドオーバ（zero-latency inter carriers/frequencies handover）を可能にする。
【００３３】
このドキュメントで説明された技術は、１つの周波数帯域内のまたは複数の周波数帯域にわたる複数のコンポーネントキャリアのマルチレイヤにわたるクラウド無線インタフェースを形成する、論理ノードｇＮＢおよび複数の関連する物理送受信ポイント（ＴＲＰｓ：physical transmission/reception points）を含む、スケーラブルなＮＲセル構造（scalable NR cell structure）に関する。帯域幅部分の動作（Bandwidth part operation）は、キャリア間／周波数間の帯域幅／ヌメロロジーアダプテーション、および、ゼロ遅延のキャリア間／周波数間のハンドオーバを適応的に実現するために、さらに促進されてもよい。
【００３４】
前述の方法には、以下の特徴がある。
−  論理ｇＮＢに関連付けられた複数の物理ＴＲＰを構成して、ＮＲセルの所望のクラウド無線インタフェースを形成する複数の周波数帯域（例えば、ＵＨＦからＳＨＦおよびＥＨＦに及ぶ）における複数キャリアの複数レイヤで同時に信号を送受信することについての無線関連機能を実行することである。
−  １つまたは複数の帯域幅部分（ＢＷＰ）を含むようにＮＲセルのキャリアの帯域幅を構成することであり、ここで、キャリアＢＷは、ＵＥの最大チャネルＢＷより数倍広くてもよく、構成されたキャリアＢＷＰは、ＵＥの最大チャンネルＢＷより小さいか等しくてもよい。
−  ＢＷＰスイッチングオペレーションの場合、ＵＥをインデックス付きＢＷＰｓの単一のセットで構成することであり、ここで、インデックス付きＢＷＰは、キャリアＢＷＰであり、構成されたセットの複数のＢＷＰは、１つのキャリアＢＷ内の、または、複数のキャリアの複数のＢＷにわたる、複数のキャリアＢＷＰであってもよい。さらに、構成されたセットの複数のＢＷＰは、キャリアＢＷＰインデックスとキャリアインデックスとの組み合わせに従って、ＵＥごとに（per UE basic）インデックスが付けられる。
−  ＢＷＰアグリゲーションオペレーションの場合、最大で１つのプライマリセットと１つまたは複数のセカンダリセットとを有する、複数のインデックス付きＢＷＰの２つ以上のセットでＵＥを構成することであり、ここで、構成されたセカンダリセットをまたは構成されたセカンダリセット内のインデックス付きＢＷＰをアクティブ化することは、ＵＥでの複数のＢＷＰのアグリゲーションをアクティブにする。
−  ＢＷＰスイッチングおよびＢＷＰアグリゲーションを含むＢＷＰオペレーションの場合、ｇＮＢは、構成可能な「初期ＢＷＰ」でＵＥをさらに構成してもよく、ｇＮＢは、ＤＣＩまたはＭＡＣ−ＣＥメッセージを用いて、ＵＥの「初期ＢＷＰ」を再構成してもよい、つまり、ＵＥが「初期ＢＷＰ」として用いるべきＢＷＰインデックスを示してもよい。
−  ＵＥが複数のインデックス付きＢＷＰのセットで構成されているＢＷＰオペレーションの場合、ｅＮＢは、構成されたセットにおける既存のインデックス付きＢＷＰを削除すること、構成されたセットにおける新しいインデックス付きＢＷＰを追加すること、または、構成されたセットにおける既存のインデックス付きＢＷＰを新しいインデックス付きＢＷＰで置き換えることを含むアクションを用いて、複数のインデックス付きＢＷＰのセットを再構成してもよい。
−  ＵＥの最大チャネルＢＷの外側にある２つ以上のインデックス付きＢＷＰを有する複数のインデックス付きＢＷＰのセットでＵＥが構成されているＢＷＰオペレーションの場合、ｇＮＢは、ＲＲＭ／ＣＳＩメジャメントのための「定期的なメジャメントギャップ」を持つように、ＵＥを構成してもよい。
−  ＦＤＤ ＵＥの場合、ｇＮＢは、複数のインデックス付きＤＬ ＢＷＰのセットと複数のインデックス付きＵＬ ＢＷＰのセットとを持つように、ＵＥを構成してもよい。構成された複数のインデックス付きＤＬ ＢＷＰのセットは、セルにおいていくつかのキャリアにまたがる複数のキャリアＢＷＰを有していてもよく、これにより、ＵＥがビームフォーミングまたは最適なＤＬ信号受信で高周波数帯域を利用できる。ここで、構成された複数のインデックス付きＵＬ ＢＷＰのセットは、複雑なＵＬビームフォーミング手順を使用せずに、ＵＥのモビリティに応じたＵＬ信号の送受信に最適であるキャリアを持つ複数のキャリアＢＷＰを有していてもよい。
【００３５】
当業者は、本発明の範囲から逸脱することなく、多くの実施形態および変形を行うことができることを理解するであろう。
【００３６】
法令に準拠して、本発明は、構造的特徴または方法的特徴に多かれ少なかれ特定の言語で記述されてきた。本明細書に記載の手段は本発明を実施する好ましい形態を含むので、本発明は、図示または記載された特定の特徴に限定されないことを理解されたい。
【００３７】
本明細書を通じて「一実施形態」または「実施形態」への言及は、実施形態に関連して説明された特定の特徴、構造、または特性が本発明の少なくとも１つの実施形態に含まれることを意味する。したがって、本明細書全体にわたる様々な場所での「一実施形態では」または「実施形態では」という句の出現は、必ずしもすべてが同じ実施形態を指しているわけではない。さらに、特定の複数の特徴、複数の構造、または複数の特性は、任意の適切な方法で１つまたは複数の組み合わせで組み合わせることができる。
【００３８】
上記の実施形態の一部または全部は、以下の付記のようにも記載されうるが、以下には限られない。
【００３９】
（付記１）
スケーラブルな新無線（ＮＲ）セルシステムにおいて用いられる方法であって、
前記ＮＲセルシステムは、単一のｇＮＢと関連する複数の物理送受信ポイント（ＴＲＰ）とを有し、前記複数のＴＲＰは、複数のコンポーネントキャリア（ＣＣ）の複数のレイヤにクラウド無線インタフェースカバレッジを有するＮＲセルを定義し、
前記ＮＲセルシステムは、帯域幅部分（ＢＷＰ）動作について構成された、複数のカバレッジ内のアドバンスドＵＥをさらに有し、
前記方法は、
前記ｇＮＢが、前記ＮＲセルにおける１つの物理ＴＲＰを、第１ＣＣレイヤ上で動作する前記ｇＮＢの高電力分散ユニット（ＤＵ）として構成すること、
前記ｇＮＢが、前記ＮＲセルにおける残りの複数の物理ＴＲＰを、１つ又は複数の第２ＣＣレイヤ上で動作する前記ｇＮＢの低電力ＤＵとして構成すること、
前記ｇＮＢが、前記第１ＣＣレイヤおよび前記第２ＣＣレイヤのそれぞれにおけるキャリア帯域幅を、複数のＢＷＰを有するように構成すること、
前記ｇＮＢが高レイヤシグナリングを介して、サービスを受けているまたはサービスを要求している１つ又は複数のアドバンスドＵＥを、アクティブＢＷＰスイッチング動作のために複数のインデックス付きＢＷＰのセットおよび構成可能な初期ＢＷＰを用いて構成すること、および、
前記ｇＮＢが高レイヤシグナリングを介して、サービスを受けているまたはサービスを要求している１つ又は複数のアドバンスドＵＥを、アクティブＢＷＰアグリゲーション動作のために複数のインデックス付きＢＷＰの２つ以上のセットを用いて構成すること、
を含む、方法。
（付記２）
付記１記載の方法であって、
構成されたいずれかのＣＣレイヤの前記キャリアＢＷは、サービスを受けているまたはサービスを要求している１つ又は複数のアドバンスドＵＥの最大チャネルＢＷよりも数倍広い、
方法。
（付記３）
付記２記載の方法であって、
構成されたすべてのＣＣレイヤのキャリアＢＷは、オーバラップしていないインデックス付きのキャリアＢＷＰおよび／またはオーバラップしているインデックス付きキャリアＢＷＰを有するように構成される、
方法。
（付記４）
付記３記載の方法であって、
構成された１つまたは複数のキャリアＢＷＰの帯域幅は、サービスを受けているまたはサービスを要求している１つ又は複数のアドバンスドＵＥの最大チャネルＢＷ以下である、
方法。
（付記５）
付記１記載の方法であって、
アドバンスドＵＥでのアクティブＢＷＰスイッチングまたはアクティブＢＷＰアグリゲーションのために構成された複数のインデックス付きＢＷＰのセットは、前記定義されたＮＲセル内の１つのＣＣレイヤからのまたは複数のＣＣレイヤからの複数のインデックス付きキャリアＢＷＰを有する、
方法。
（付記６）
付記５記載の方法であって、
アドバンスドＵＥでのアクティブＢＷＰスイッチングまたはアクティブＢＷＰアグリゲーションのために構成されたセットにおける複数のＢＷＰは、キャリアＢＷＰインデックスおよびＣＣインデックスの組み合わせに基づいてインデックス付けされる、
方法。
（付記７）
付記１記載の方法であって、
インデックス付きＢＷＰの同じセットは、同じＮＲセルにおける２つ以上のＵＥで用いられるために構成される、
方法。
（付記８）
付記７記載の方法であって、
インデックス付きＢＷＰの同じ構成されたセットを供給するＮＲセル内の複数のアドバンスドＵＥは、サービシングｇＮＢによって、同じまたは異なる構成可能な初期ＢＷＰで構成される、
方法。
（付記９）
付記８記載の方法であって、
ＤＬまたはＵＬの信号送受信のためにアクティブ化されたＢＷＰを有するＵＥは、ＵＥのモビリティ、ＵＥの要求サービス、および／または、ＵＥでのまたはＵＥのまわりのトラフィック負荷に応じて適応的に初期ＢＷＰを変えるように、サービシングｇＮＢによって指示される、
方法。
（付記１０）
付記９記載の方法であって、
ＤＣＩまたはＭＡＣ ＣＥメッセージは、サービスを受けているＵＥに初期ＢＷＰを変えるまたは再構成することを指示するために、サービシングｇＮＢによって用いられる、
方法。
（付記１１）
付記１記載の方法であって、
インデックス付きＢＷＰのセットは、ＵＥの最大チャネルＢＷ内に存在しない２つ以上の構成されたＢＷＰを有する前記ＵＥで用いられるために構成され、
前記ｇＮＢは、周期的なメジャメントギャップを有するように前記ＵＥをさらに構成する、
方法。
（付記１２）
付記１１記載の方法であって、
前記構成されたメジャメントギャップにおいて、ＵＥは、前記ＵＥの最大チャネルＢＷの外にある前記構成された複数のＢＷＰにてＲＲＭ／ＣＳＩメジャメントを実行し、前記ＵＥの最大チャネルＢＷは、現在アクティブ化されているＢＷＰまたは構成された初期ＢＷＰを含む、
方法。
（付記１３）
付記１２記載の方法であって、
周期的なメジャメントギャップの後に前記現在アクティブ化されているＢＷＰまたは前記構成された初期ＢＷＰに戻ると、前記ＵＥは、予めスケジュールされたＵＬチャネルにおいてメジャメントレポートを送信する、
方法。
（付記１４）
付記１記載の方法であって、
アドバンスドＵＥで用いられるために最初に構成されたインデックス付きＢＷＰのセットは、前記サービシングｇＮＢによって再構成され、該再構成は、既存の構成されたキャリアＢＷＰを現在の前記セットから削除すること、新しい構成されたキャリアＢＷＰを前記現在のセットに追加すること、または、既存の構成されたキャリアＢＷＰを前記現在のセットから削除し且つ構成されたキャリアＢＷＰを前記現在のセットに追加すること、を含む、
方法。
（付記１５）
付記１記載の方法であって、
ＢＷＰ動作性能を有し、且つ、複数のＣＣにわたる複数のＤＬ／ＵＬ ＢＷＰを有する複数のＤＬ／ＵＬ ＢＷＰのセットで構成された、ＦＤＤ ＵＥは、第１ＴＲＰによってサービスされるＵＨＦ帯域内の現在アクティブ化されたＤＬ ＢＷＰを、ＤＬデータ送信についてビームフォーミングおよび超広ＢＷを利用する第２ＴＲＰによってサービスされるＳＨＦまたはＥＨＦ内の他のアクティブ化されたＤＬ ＢＷＰへ切り替えように指示され、
アクティブ化されたＵＬ ＢＷＰは、ＵＬビームフォーミングを用いることの複雑さを取り除くために、前記第１ＴＲＰによってサービスされるＵＨＦ帯域にとどまる、
方法。
（付記１６）
付記１記載の方法であって、
前記アクティブＢＷＰスイッチング動作は、複数のＣＣの前記複数のレイヤにまたがり、これにより、略０ｍｓのハンドオーバ遅延が可能となる、
方法。
（付記１７）
スケーラブルな新無線（ＮＲ）セルシステムであって、前記ＮＲセルシステムは、単一のｇＮＢと関連する複数の送受信ポイント（ＴＲＰ）とを有し、前記複数のＴＲＰは、複数のコンポーネントキャリア（ＣＣ）の複数のレイヤにクラウド無線インタフェースカバレッジを有するＮＲセルを定義し、
前記ＮＲセルシステムは、帯域幅部分（ＢＷＰ）動作について構成された、複数のカバレッジ内のアドバンスドＵＥをさらに有し、
前記ｇＮＢは、
前記ＮＲセルにおける１つの物理ＴＲＰを、第１ＣＣレイヤ上で動作する前記ｇＮＢの高電力分散ユニット（ＤＵ）として構成し、
前記ＮＲセルにおける残りの複数の物理ＴＲＰを、１つ又は複数の第２ＣＣレイヤ上で動作する前記ｇＮＢの低電力ＤＵとして構成し、
前記第１ＣＣレイヤおよび前記第２ＣＣレイヤのそれぞれにおけるキャリア帯域幅を、複数のＢＷＰを有するように構成し、
サービスを受けているまたはサービスを要求している１つ又は複数のアドバンスドＵＥを、アクティブＢＷＰスイッチング動作のために複数のインデックス付きＢＷＰのセットおよび構成可能な初期ＢＷＰを用いて、高レイヤシグナリングを介して構成し、
サービスを受けているまたはサービスを要求している１つ又は複数のアドバンスドＵＥを、アクティブＢＷＰアグリゲーション動作のために複数のインデックス付きＢＷＰの２つ以上のセットを用いて、高レイヤシグナリングを介して構成する、
ＮＲセルシステム。
【００４０】
この出願は、２０１８年２月１４日に出願された豪州仮出願 2018900461を基礎とする優先権を主張し、その開示の全てをここに取り込む。
【図１】
2021512539.tif 000005
【図２】
2021512539.tif 000006
【図３】
2021512539.tif 000007
【図４】
2021512539.tif 000008
【図５】
2021512539.tif 000009
【図６】
2021512539.tif 000010
【図７】
2021512539.tif 000011
【図８】
2021512539.tif 000012
【図９】
2021512539.tif 000013
【図１０】
2021512539.tif 000014
【図１１】
2021512539.tif 000015
【図１２】
2021512539.tif 000016
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
スケーラブルな新無線（ＮＲ）セルシステムのｇＮＢにおいて用いられる方法であって、
前記ＮＲセルシステムは、前記ｇＮＢと関連する複数の物理送受信ポイント（ＴＲＰ）とを有し、前記複数のＴＲＰは、複数のコンポーネントキャリア（ＣＣ）の複数のレイヤにクラウド無線インタフェースカバレッジを有するＮＲセルを定義し、
前記ＮＲセルシステムは、帯域幅部分（ＢＷＰ）動作について構成された、複数のカバレッジ内のアドバンスドＵＥをさらに有し、
前記方法は、
前記ＮＲセルにおける１つの物理ＴＲＰを、第１ＣＣレイヤ上で動作する前記ｇＮＢの高電力分散ユニット（ＤＵ）として構成すること、
前記ＮＲセルにおける残りの複数の物理ＴＲＰを、１つ又は複数の第２ＣＣレイヤ上で動作する前記ｇＮＢの低電力ＤＵとして構成すること、
前記第１ＣＣレイヤおよび前記第２ＣＣレイヤのそれぞれにおけるキャリア帯域幅を、複数のＢＷＰを有するように構成すること、
高レイヤシグナリングを介して、サービスを受けているまたはサービスを要求している１つ又は複数のアドバンスドＵＥを、アクティブＢＷＰスイッチング動作のために複数のインデックス付きＢＷＰのセットおよび構成可能な初期ＢＷＰを用いて構成すること、および、
高レイヤシグナリングを介して、サービスを受けているまたはサービスを要求している１つ又は複数のアドバンスドＵＥを、アクティブＢＷＰアグリゲーション動作のために複数のインデックス付きＢＷＰの２つ以上のセットを用いて構成すること、
を含む、方法。
【請求項２】
請求項１記載の方法であって、
構成されたいずれかのＣＣレイヤのキャリアＢＷは、サービスを受けているまたはサービスを要求している１つ又は複数のアドバンスドＵＥの最大チャネルＢＷよりも数倍広い、
方法。
【請求項３】
請求項２記載の方法であって、
構成されたすべてのＣＣレイヤのキャリアＢＷは、オーバラップしていないインデックス付きのキャリアＢＷＰおよび／またはオーバラップしているインデックス付きキャリアＢＷＰを有するように構成される、
方法。
【請求項４】
請求項３記載の方法であって、
構成された１つまたは複数のキャリアＢＷＰの帯域幅は、サービスを受けているまたはサービスを要求している１つ又は複数のアドバンスドＵＥの最大チャネルＢＷ以下である、
方法。
【請求項５】
請求項１記載の方法であって、
アドバンスドＵＥでのアクティブＢＷＰスイッチングまたはアクティブＢＷＰアグリゲーションのために構成された複数のインデックス付きＢＷＰのセットは、前記定義されたＮＲセル内の１つのＣＣレイヤからのまたは複数のＣＣレイヤからの複数のインデックス付きキャリアＢＷＰを有する、
方法。
【請求項６】
請求項５記載の方法であって、
アドバンスドＵＥでのアクティブＢＷＰスイッチングまたはアクティブＢＷＰアグリゲーションのために構成されたセットにおける複数のＢＷＰは、キャリアＢＷＰインデックスおよびＣＣインデックスの組み合わせに基づいてインデックス付けされる、
方法。
【請求項７】
請求項１記載の方法であって、
インデックス付きＢＷＰの同じセットは、同じＮＲセルにおける２つ以上のＵＥで用いられるために構成される、
方法。
【請求項８】
請求項７記載の方法であって、
インデックス付きＢＷＰの同じ構成されたセットを供給するＮＲセル内の複数のアドバンスドＵＥは、サービシングｇＮＢによって、同じまたは異なる構成可能な初期ＢＷＰで構成される、
方法。
【請求項９】
請求項８記載の方法であって、
ＤＬまたはＵＬの信号送受信のためにアクティブ化されたＢＷＰを有するＵＥは、ＵＥのモビリティ、ＵＥの要求サービス、および／または、ＵＥでのまたはＵＥのまわりのトラフィック負荷に応じて適応的に初期ＢＷＰを変えるように、サービシングｇＮＢによって指示される、
方法。
【請求項１０】
スケーラブルな新無線（ＮＲ）セルシステムにおけるｇＮＢであって、前記ＮＲセルシステムは、前記ｇＮＢと関連する複数の送受信ポイント（ＴＲＰ）とを有し、前記複数のＴＲＰは、複数のコンポーネントキャリア（ＣＣ）の複数のレイヤにクラウド無線インタフェースカバレッジを有するＮＲセルを定義し、
前記ＮＲセルシステムは、帯域幅部分（ＢＷＰ）動作について構成された、複数のカバレッジ内のアドバンスドＵＥをさらに有し、
前記ｇＮＢは、
前記ＮＲセルにおける１つの物理ＴＲＰを、第１ＣＣレイヤ上で動作する前記ｇＮＢの高電力分散ユニット（ＤＵ）として構成し、
前記ＮＲセルにおける残りの複数の物理ＴＲＰを、１つ又は複数の第２ＣＣレイヤ上で動作する前記ｇＮＢの低電力ＤＵとして構成し、
前記第１ＣＣレイヤおよび前記第２ＣＣレイヤのそれぞれにおけるキャリア帯域幅を、複数のＢＷＰを有するように構成し、
サービスを受けているまたはサービスを要求している１つ又は複数のアドバンスドＵＥを、アクティブＢＷＰスイッチング動作のために複数のインデックス付きＢＷＰのセットおよび構成可能な初期ＢＷＰを用いて、高レイヤシグナリングを介して構成し、
サービスを受けているまたはサービスを要求している１つ又は複数のアドバンスドＵＥを、アクティブＢＷＰアグリゲーション動作のために複数のインデックス付きＢＷＰの２つ以上のセットを用いて、高レイヤシグナリングを介して構成する、
ｇＮＢ。
【国際調査報告】
2021512539.tif 000017
2021512539.tif 000018